(57)【要約】【課題】撮像装置において、部品点数を増やすことなく、組立工程数を増やすことなく、所定の部品間での必要な導通を確保する。【解決手段】デジタルカメラ１は、導電性を有する基板５５を含む本体と、導電性を有する部品である固定筒５４を含むレンズ鏡筒３と、レンズ鏡筒３の上部に設けられるファインダユニット５０とを備え、ファインダユニット５０は、レンズ鏡筒３に固定されるファインダ地板５１と、ファインダ地板５１の上面を封止するファインダカバー５３と有する。ファインダカバー５３を介して基板５５と固定筒５４とを導通させるための第１導電部５３ａと第２導電部５３ｂを有する導通部をファインダカバー５３に一体に設けることにより、レンズ鏡筒３と本体とを導通させる。【選択図】図３
2014059340.tif 000002
【特許請求の範囲】
【請求項１】
導電性を有する基板を含む本体と、前記導電性を有する部品を含むレンズ鏡筒と、前記レンズ鏡筒の上部に設けられるファインダユニットとを備える撮像装置であって、
前記ファインダユニットは、
前記レンズ鏡筒に固定されるファインダ地板と、
前記ファインダ地板の上面を封止するファインダカバーと有し、
前記ファインダカバーは、前記ファインダカバーを介して前記基板と前記導電性を有する部品とを導通させる導通部を有することを特徴とする撮像装置。
【請求項２】
前記導通部は、板バネ形状を有し、前記ファインダカバーの一部を根元部として二股に分離した第１導電部と第２導電部とを有し、
前記第１導電部が前記基板と接触し、且つ、前記第２導電部が前記導電性を有する部品と接触し、
前記第１導電部と前記基板との接点に前記第１導電部のバネ力による押圧力が作用するように、且つ、前記第２導電部と前記導電性を有する部品との接点において前記第２導電部のバネ力による押圧力が作用するように、前記根元部が前記ファインダ地板により保持されることを特徴とする請求項１記載の撮像装置。
【請求項３】
前記レンズ鏡筒が含む前記導電性を有する部品は、カーボンファイバを含む導電性樹脂からなることを特徴とする請求項１又は２に記載の撮像装置。
【請求項４】
前記本体が含む前記基板は、金属からなることを特徴とする特徴とする請求項１乃至３のいずれか１項に記載の撮像装置。
【請求項５】
発光ダイオード及び該発光ダイオードを保持する保持部を有し、前記レンズ鏡筒の上部において前記ファインダユニットと隣接して設けられる補助光照射ユニットと、前記補助光照射ユニットの背面側に配置され、前記発光ダイオードに電力を供給するフレキシブル基板とを更に備え、
前記ファインダ地板は、前記フレキシブル基板の背面側から前記保持部に保持された前記発光ダイオードに向けて前記フレキシブル基板を押圧することにより、前記発光ダイオードの背面と前記フレキシブル基板とを電気的に接続すると共に、前記発光ダイオードを前記保持部において固定する固定部を有することを特徴とする請求項１乃至４のいずれか１項に記載の撮像装置。
【請求項６】
前記保持部は、前記レンズ鏡筒の外周を覆うカバー筒と一体に形成されていることを特徴とする請求項５記載の撮像装置。
【発明の詳細な説明】
【技術分野】
【０００１】
本発明は、ファインダユニットを有するデジタルカメラ等の撮像装置に関する。
【背景技術】
【０００２】
近年、ＣＣＤやＣＭＯＳ等の固体撮像素子を用いて画像を撮影し、撮影した画像を半導体メモリ等の記憶装置に記憶する撮像装置が一般に普及している。撮像装置は、レンズ、多くのプラスチック部品や金属部品、電気部品で構成されているため、静電気によって電気部品が破壊されないように、部品同士を導通させて静電気を問題の無い場所へ逃がす工夫が必要とされる。
【０００３】
その一例として、導電性部材と非導電性部材を導電性のあるネジによってネジ止めすることにより静電気を逃がす構造が提案されている（特許文献１参照）。また、レンズリングと外装部材とを導電性のある板金によって接続して導通させることにより、静電気を逃がす構造が提案されている（特許文献２参照）。
【先行技術文献】
【特許文献】
【０００４】
【特許文献１】特開２０１０−９７０９５号公報
【特許文献２】特開２００９−１８０８７６号公報
【発明の概要】
【発明が解決しようとする課題】
【０００５】
しかしながら、上記特許文献１，２に記載された技術では、導電性のあるネジや板金が必要になるために部品点数が増え、組立工程数が増えるという問題がある。また、ネジを止めるスペースや板金を挿入するスペースを確保する必要があり、そのために撮像装置が大型化するおそれがある。
【０００６】
本発明は、部品点数を増やすことなく、また、組立工程数を増やすことなく、所定の部品間での必要な導通を確保することができる撮像装置を提供することを目的とする。
【課題を解決するための手段】
【０００７】
本発明に係る撮像装置は、導電性を有する基板を含む本体と、前記導電性を有する部品を含むレンズ鏡筒と、前記レンズ鏡筒の上部に設けられるファインダユニットとを備える撮像装置であって、前記ファインダユニットは、前記レンズ鏡筒に固定されるファインダ地板と、前記ファインダ地板の上面を封止するファインダカバーと有し、前記ファインダカバーは、前記ファインダカバーを介して前記基板と前記導電性を有する部品とを導通させる導通部を有することを特徴とする。
【発明の効果】
【０００８】
本発明によれば、部品点数を増やすことなく、また、組立工程数を増やすことなく、所定の部品間での必要な導通を確保することができる。
【図面の簡単な説明】
【０００９】
【図１】本発明の実施形態に係るデジタルカメラの外観斜視図及び背面図である。
【図２】図１のデジタルカメラのハードウエア構成を示すブロック図である。
【図３】図１のデジタルカメラが備えるレンズ鏡筒の背面側斜視図である。
【図４】図１のデジタルカメラが備えるレンズ鏡筒の正面側斜視図である。
【図５】図１のデジタルカメラが備えるレンズ鏡筒の、図３とは異なる角度から見た背面側斜視図である。
【図６】図１のデジタルカメラが備える補助光照射ユニットの概略構造を示す断面図である。
【図７】図６の補助光照射ユニットの一部を拡大して示す正面図である。
【発明を実施するための形態】
【００１０】
以下、本発明の実施の形態について、添付図面を参照して詳細に説明する。ここでは、本発明に係る撮像装置として、所謂、デジタルカメラを取り上げることとするが、本発明はこれに限定されるものではない。
【００１１】
＜デジタルカメラの外観＞
図１（ａ）は、デジタルカメラ１の外観斜視図である。また、図１（ｂ）は、デジタルカメラ１の背面図である。デジタルカメラ１の本体は外装ケース２によって覆われている。デジタルカメラ１の正面には、被写体からの反射光を取り込み、被写体の光学像を撮像素子３０（図１に不図示、図２参照）に結像させるレンズ鏡筒３が設けられている。
【００１２】
図１（ａ）にはレンズ鏡筒３がデジタルカメラ１の本体に収納された沈胴状態が示されており、デジタルカメラ１に電源が投入されると、レンズ鏡筒３はデジタルカメラ１の本体から繰り出して突出し、撮影可能な状態となる。レンズ鏡筒３は、内蔵するズームレンズ（不図示）の動きにしたがって画角を変更する光学ズーム機能を備える。
【００１３】
デジタルカメラ１の正面には、測光測距を行う際の補助光を投光する補助光照射窓４と、被写体の構図を決めるためのファインダ５と、ストロボ撮影を行う際に被写体に向けて光を照射するストロボ６とが設けられている。また、デジタルカメラ１の上面には、レリーズボタン７と、ズームスイッチ８と、電源ボタン９とが設けられている。
【００１４】
デジタルカメラ１の背面には、ファインダ接眼部１１と、ディスプレイ１２と、各種の操作ボタン１３，１４，１５，１６，１７，１８とが配置されている。ユーザは、ファインダ接眼部１１を通して被写体を視認し、撮影構図を構築することができる。ディスプレイ１２は、液晶ディスプレイ（ＬＣＤ）或いは有機ＥＬディスプレイ等であり、メモリ３３（図２参照）やメモリカードドライブ３５に記憶された画像データを画像として表示し、また、各種操作ボタンに対応するメニューを表示する。各種の操作ボタン１３〜１８は、様々な機能の切り換えを行うための操作手段である。
【００１５】
図２は、デジタルカメラ１のハードウエア構成を示すブロック図である。デジタルカメラ１の全体的な制御は、ＲＯＭ３８、ＣＰＵ３９及びＲＡＭ４０を有する制御部２０によって行われる。ＲＯＭ３８には、デジタルカメラ１の動作を制御するための各種の制御プログラム等や、各種の制御プログラムの実行に必要なデータ等が記憶されている。ＣＰＵ３９は、ＲＯＭ３８に格納されている所定の制御プログラムを読み出してＲＡＭ４０の作業エリア上に展開し、実行することにより、デジタルカメラ１を構成する各部の動作を制御する。ＣＰＵ３９が制御プログラムを実行する際に生成されるデータはＲＡＭ４０に一時的に記憶される。
【００１６】
デジタルカメラ１では、レリーズボタン７、ズームスイッチ８、電源ボタン９、ディスプレイ１２、操作ボタン１３〜１８は、バス３７を介して制御部２０と接続されている。
【００１７】
駆動回路３６にはストロボ６が接続されており、駆動回路３６は、制御部２０からの制御信号に基づいてストロボ６の発光を制御する。また、駆動回路３６には、ズーム駆動部２２、フォーカス駆動部２４、シャッタ駆動部２６、絞り駆動部２８及び撮像素子３０が接続されており、これらの各部は、制御部２０からの制御信号を受けた駆動回路３６によって制御される。ズーム駆動部２２はレンズ鏡筒３のズーム動作を制御し、フォーカス駆動部２４はレンズ鏡筒３内に設けられたフォーカスレンズ２３の駆動を制御する。また、シャッタ駆動部２６と絞り駆動部２８はそれぞれ、レンズ鏡筒３内に設けられたシャッタ２５と絞り２７の動作を制御する。
【００１８】
駆動回路３６には、被写体の光学像（被写体からの反射光）を電気信号（アナログ電気信号）に変換して出力するＣＣＤ或いはＣＭＯＳ等の撮像素子３０が接続されている。撮像素子３０から出力される電気信号はアナログ信号処理部２９へ入力され、アナログ信号処理部２９は、受信した電気信号に対して所定の処理を施して、Ａ／Ｄ変換部３１に出力する。Ａ／Ｄ変換部３１は、受信したアナログ信号をデジタルデータに変換し、デジタルデータをデジタル信号処理部３２に出力する。デジタル信号処理部３２は、受信したデジタルデータに対して所定の画像処理を行い、画像処理後のデータを、バス３７を介して制御部２０と接続されたメモリ３３に記憶させる。
【００１９】
デジタルカメラ１は、バス３７を介して制御部２０と接続された圧縮伸張部３４とメモリカードドライブ３５を備える。メモリ３３に記憶された画像データは、圧縮伸張部３４によって圧縮されて、メモリカードドライブ３５に記憶される。逆に、メモリカードドライブ３５に記憶された画像データは、圧縮伸張部３４によって伸張処理されてメモリに一時的に保存される。ＣＰＵ３９は、メモリ３３から画像データを読み出してディスプレイ１２に表示させ、これにより、ユーザはディスプレイ１２を通して撮影画像を視認することができる。
【００２０】
＜レンズ鏡筒３の構成＞
図３は、レンズ鏡筒３の背面側斜視図である。また、図４は、レンズ鏡筒３の正面側斜視図である。レンズ鏡筒３の上部には、被写体を視認するためのファインダユニット５０が設けられている。ファインダユニット５０は、ファインダ地板５１の内部にファインダレンズ５２が収納され、その上面がファインダカバー５３によって封止された構造となっている。ファインダカバー５３は金属部品で構成されており、本実施形態ではステンレス材を使用している。
【００２１】
レンズ鏡筒３を構成する主な部品には、カーボンファイバを含有するエンジニアリングプラスチック（導電性樹脂）が使用されており、カーボンファイバの導電性によって部品自体が導電性を有するようになっている。レンズ鏡筒３の構成部品の１つである固定筒（被鏡筒導電部材）５４は、このような導電性樹脂を用いて構成されている。
【００２２】
レンズ鏡筒３の背面には、デジタルカメラ１の本体に取り付けられる基板５５が配置されている。基板５５は剛性を確保するために金属材料で構成されており、本実施形態ではステンレスを使用している。基板５５は、上方向に延伸するように形成された基板突起部５５ａを有している。
【００２３】
ファインダカバー５３には、ファインダユニット５０の主要部から離れた位置において、ファインダカバー５３の一部から二股に分離するように一体に形成された第１導電部５３ａと第２導電部５３ｂとからなる導通部が形成されている。なお、ファインダユニット５０の主要部とは、ファインダ地板５１とファインダカバー５３とがファインダレンズ５２を収容している箱状の部位を指す。
【００２４】
第１導電部５３ａと第２導電部５３ｂは共に板バネ形状を有し、第１導電部５３ａは固定筒（被鏡筒導電部材）５４に接触し、第２導電部５３ｂは基板５５の基板突起部５５ａに接触する。このとき、第１導電部５３ａと固定筒（被鏡筒導電部材）５４との接点及び第２導電部５３ｂと基板突起部５５ａとの接点に、第１導電部５３ａと第２導電部５３ｂのバネ力によって一定の押圧力を作用させて、電気的な接続を確保する。第１導電部５３ａと第２導電部５３ｂにこのようなバネ力を生じさせるために、第１導電部５３ａと第２導電部５３ｂの根元部は、ファインダ地板５１から延伸して構成されている押圧保持部５１ａに保持されている。
【００２５】
以上の構成によれば、レンズ鏡筒３と基板５５とがファインダカバー５３により電気的に接続されるため、レンズ鏡筒３に静電気が発生してもその静電気を基板５５へ逃がすことができる。これにより、レンズ鏡筒３の内部の電気部品の破壊や誤作動を防止することができる。
【００２６】
また、レンズ鏡筒３の組立に特に専用の部品が必要ではないため、製造コストを低く抑えることが可能になる。即ち、レンズ鏡筒３の組立作業では、レンズ鏡筒３の上部にファインダ地板５１を上方から組み込み、その際に、第１導電部５３ａを固定筒（被鏡筒導電部材）５４の表面に差し込む。その後、基板５５をレンズ鏡筒３の背後から装着すると、基板突起部５５ａが第１導電部５３ａに自然に当接する。そして、第１導電部５３ａと第２導電部５３ｂに一定のバネ力が発生するように、第１導電部５３ａと第２導電部５３ｂの根元部を押圧保持部５１ａによって押圧保持することにより、レンズ鏡筒３と基板５５の間の導通（電気的接続）を確実なものとすることができる。
【００２７】
次に、図５乃至図７を参照して、図１に示した補助光照射窓４を有する補助光照射ユニット６０の構造について説明する。図５は、レンズ鏡筒３を図３とは異なる角度から見た背面側斜視図である。図６は、補助光照射ユニット６０の概略構造を示す断面図であり、図７は、補助光照射ユニット６０の一部を拡大して示す正面図である。
【００２８】
周囲が暗い環境で撮影を行う場合には被写体にフォーカスを合わせるための測距精度が低下するため、フォーカスを合わせるために補助光照射ユニット６０から被写体に向けて補助光を照射する。この補助光を用いて被写体とデジタルカメラ１との距離を測定することで、フォーカス精度の低下を防止することができる。
【００２９】
補助光照射ユニット６０は、図５に示されるように、レンズ鏡筒３の上部においてファインダユニット５０に隣接するように配置されている。レンズ鏡筒３の外周を覆うカバー筒１０には、補助光照射ユニット保持部１０ａが一体で設けられている。また、ファインダユニット５０のベースとなっているファインダ地板５１には、アーム状に延伸した補助光照射ユニット固定部５１ｂがファインダ地板５１と一体に形成されている。
【００３０】
図６に示されるように、補助光照射ユニット６０は、補助光を発光する光源である発光ダイオード（ＬＥＤ）６１を備えており、発光ダイオードを用いることにより補助光照射ユニット６０の小型化が図られている。発光ダイオード６１は、図７に示されるように、側面の長手方向を補助光照射ユニット保持部１０ａと一体で形成されているモールドバネ１０ｂによって押圧保持される。また、発光ダイオード６１の前面周縁部は、図６に示されるように、補助光照射ユニット保持部１０ａによって係止される。
【００３１】
発光ダイオード６１の背面はフレキシブル基板６２とは電気的に接続され、フレキシブル基板６２を通して発光ダイオード６１に電力が供給される。補助光照射ユニット固定部５１ｂは、発光ダイオード６１とフレキシブル基板６２とが電気的に接続されるように、フレキシブル基板６２の背面側から発光ダイオード６１に向かって押圧する。補助光照射ユニット６０において、発光ダイオード６１の前方には補助光レンズ６３が配置され、補助光レンズ６３は補助光レンズ保持部材６４によって補助光照射ユニット保持部１０ａに保持されている。
【００３２】
このように本実施形態では、レンズ鏡筒３の構成部品であるカバー筒１０に直接に補助光レンズ６３と発光ダイオード６１を固定している。これにより、レンズ鏡筒３に配置された撮影レンズ（不図示）と補助光との偏芯や倒れの管理が行い易くなり、また、補助光の照射精度を高い状態で維持することが可能になる。
【００３３】
また、レンズ鏡筒３の組立作業では、発光ダイオード６１を補助光照射ユニット保持部１０ａに挿入する。これにより、発光ダイオード６１は、側面の長手方向をモールドバネ１０ｂによって押圧保持されると共に、前面周縁部が補助光照射ユニット保持部１０ａに係止される。この状態で、ファインダユニット５０をレンズ鏡筒３に固定すると、発光ダイオード６１は、その後方からフレキシブル基板６２を介して補助光照射ユニット固定部５１ｂにより押圧され、保持される。
【００３４】
以上の通り、レンズ鏡筒３の組立作業では、ファインダユニット５０を固定することによって発光ダイオード６１を安定させて保持することができるので、組立工程を短縮することができる。また、その際に特別な部品や工具を使用する必要が無いため、製造コストを低く抑えることが可能になる。
【００３５】
＜その他の実施形態＞
以上、本発明をその好適な実施形態に基づいて詳述してきたが、本発明はこれら特定の実施形態に限られるものではなく、この発明の要旨を逸脱しない範囲の様々な形態も本発明に含まれる。
【符号の説明】
【００３６】
１    デジタルカメラ（撮像装置）
３    レンズ鏡筒
５０    ファインダユニット
５１    ファインダ地板
５１ａ    押圧保持部
５１ｂ    補助光照射ユニット固定部
５３    ファインダカバー
５３ａ    第１導電部
５３ｂ    第２導電部
５４    固定筒（被鏡筒導電部材）
５５    基板
５５ａ    基板突起部
【図１】
2014059340.tif 000003
【図２】
2014059340.tif 000004
【図３】
2014059340.tif 000005
【図４】
2014059340.tif 000006
【図５】
2014059340.tif 000007
【図６】
2014059340.tif 000008
【図７】
2014059340.tif 000009